(57)【要約】【課題】台車と駆動輪ユニットとの連結を高い注意度を必要とすることなくワンタッチで容易に且つ確実に行うことができる台車と駆動輪ユニットとの連結機構を提供する。【解決手段】台車３０と、駆動輪ユニット１０とが連結されるように、駆動輪ユニット１０の連結アーム２０の側に設けられた連結板部２１と、台車３０の側に固定されて設けられた連結板受部３１と、車輪１１に所要の輪圧が生じるように介在する受圧バネ部材４０とを備え、連結板部２１が上下に起立した板状に設けられ、連結板部２１の上縁部には、台車３０側へ対面する面の側が斜面２２ａに形成されることで上方へ向かって薄肉となるように形成されたテーパ爪部２２が設けられ、テーパ爪部２２が嵌って受けられるように連結板受部３１の上部には下向きの溝状に形成された溝状爪受部３２が設けられている。【選択図】図１
2014213720.tif 000002
【特許請求の範囲】
【請求項１】
駆動走行用の動力を持たない運搬車である台車と、動力によって駆動走行する一つの車輪及びアシスト駆動機構を備える駆動輪ユニットとが連結されるように、該駆動輪ユニットの側で上下方向に起立した軸芯となっている取付軸を中心に回動自在に装着された連結アームと、該連結アームの側に設けられて前記台車の側へ連結される連結板部と、該連結板部が係合されて連結されるように前記台車の側に配設される連結板受部と、該連結板受部、及び前記連結板部を備える前記連結アームのいずれかの構成要素にあって前記台車の荷重を受けることで前記駆動輪ユニットの前記車輪に所要の輪圧が生じるように介在する受圧バネ部材とを備える台車と駆動輪ユニットとの連結機構において、
前記連結板部が上下方向に起立した板状に設けられ、該連結板部の上縁部には、前記台車側へ対面する面の側が斜面に形成されることで上方へ向かって薄肉となるように形成されたテーパ爪部が設けられ、該テーパ爪部が嵌って受けられるように前記連結板受部の上部には下向きの溝状に形成された溝状爪受部が設けられていることを特徴とする台車と駆動輪ユニットとの連結機構。
【請求項２】
前記連結板受部が、前記台車側に固定される固定基部と、該固定基部に対して離脱しないと共に上下方向にスライド可能に装着されて前記連結板部に対面して上部に前記溝状爪受部が設けられた連結受面部を備えるスライド本体と、該スライド本体と前記固定基部との間に配された前記受圧バネ部材とを備えることを特徴とする請求項１記載の台車と駆動輪ユニットとの連結機構。
【請求項３】
前記連結アームにあって前記連結板部の台車側へ対面する面とは反対側で且つ下側に、常時は下方へ突起するようにバネ部材によって付勢され、該連結板部と前記連結板受部とが連結される際には該連結板受部に設けられた係止孔に挿入されて連結状態を維持させ、連結状態を解除する際には前記バネ部材の付勢力に抗して上方へ引き上げて連結状態を解除するように引き上げ機構が連係されたストッパ部材を備えることを特徴とする請求項２記載の台車と駆動輪ユニットとの連結機構。
【請求項４】
前記連結板受部の連結受面部に、前記連結板部が嵌まり込むように該連結板部の少なくとも左右に外嵌する側壁部が設けられ、該側壁部から外方へ開くように連続して形成されて前記連結板部が嵌まり込む際に案内する傾斜面部を備えていることを特徴とする請求項２又は３記載の台車と駆動輪ユニットとの連結機構。
【請求項５】
前記連結アームが、前記駆動輪ユニットの側の前記取付軸に装着されたアーム本体と、該アーム本体に四節リンク構造によって上下方向に移動可能に装着された前記連結板部とを備えることによって構成され、該連結板部と前記アーム本体との間に前記受圧バネ部材が配されていることを特徴とする請求項１記載の台車と駆動輪ユニットとの連結機構。
【請求項６】
前記連結板部の下側の部位に該連結板部に回動可能に装着され、常時はバネ部材よって先端側が上方へ回動するように付勢され、該連結板部と前記連結板受部とが係合・連結される際には前記連結板受部の下縁に係止して連結状態を維持させ、連結状態を解除する際には前記バネ部材の付勢力に抗して先端側を下方へ回動できるフック部材を備えることを特徴とする請求項５記載の台車と駆動輪ユニットとの連結機構。
【請求項７】
前記連結板受部における前記連結板部に対面する上部に前記溝状爪受部が設けられた連結受面部に、前記連結板部が嵌まり込むように該連結板部の少なくとも左右に外嵌する側壁部が設けられ、該側壁部から外方へ開くように連続して形成されて前記連結板部が嵌まり込む際に案内する傾斜面部を備えていることを特徴とする請求項５又は６記載の台車と駆動輪ユニットとの連結機構。
【発明の詳細な説明】
【技術分野】
【０００１】
この発明は、駆動走行用の動力を持たない運搬車である台車と、動力によって駆動走行する一つの車輪及びアシスト駆動機構を備える駆動輪ユニットとが連結されるように構成された台車と駆動輪ユニットとの連結機構に関する。
【背景技術】
【０００２】
従来から、駆動輪ユニットとしては、操舵ハンドルを人が押したり、引いたりする時の人力に比例した駆動力で人力をアシストする電動アシスト式の駆動輪ユニットが提案されている。例えば、操作ハンドルに加えられた人力の大きさと方向に対応して駆動トルクを発生するアシスト駆動機構を備える駆動輪ユニットと、台車を結合して、台車を押す人力をアシストするものがある（特許文献１）。
【０００３】
従来のアシスト駆動機構を備える駆動輪ユニットでは、駆動機構と台車を連結する場合、ボルトなどで締め付ける方法をとっていた。従って、駆動機構と台車を連結することが簡単に出来ず、女性や高齢者の従事を難しくし、また稼働率を悪くしていた。
【０００４】
これに対して、先に本願の出願人は、人力に対応した駆動力を発生する電動アシスト式駆動輪の台車連結アーム部の構成を台車側上部連結ピン位置に対応した台車結合板の上面部分をＵ字型に切り欠きテーパ構造とし、台車結合板の下面内側でレバー操作により上下に移動する連結棒を設ける一方、電動アシスト式駆動輪機構の台車連結部に設けられた連結勘合位置に対応した台車側の連結板の上部にはボルト形状の連結ピンを設け、下部には駆動輪側下部連結位置に設けられた連結棒をキャッチするＬ型フックを設けた連結板を上下に摺動する摺動ガイドおよびそれを支持する支持レールを台車に固定設置する電動アシスト式駆動輪と台車の連結構造（特許文献２）を提案してある。
【０００５】
この電動アシスト式駆動輪（駆動輪ユニット）と台車の連結構造によれば、Ｕ字型に切り欠き部分を、台車側の連結ピンに挿入する操作によって、駆動輪ユニットと台車とを連結する構成になっている。これよれば、ボルトなどで締め付ける方法よりも、簡便に連結を行うことができる。しかしながら、この連結ピンに挿入する操作は、連結ピンが比較的に小さなものであるため、より精密で熟練が必要な操作を必要する。また、連結ピンは小さいものであるため、より高い強度や耐久性を得ることが難しい。
【先行技術文献】
【特許文献】
【０００６】
【特許文献１】特願２００８−１１４８２６号公報
【特許文献２】特開２００８−２８００２１号公報
【発明の概要】
【発明が解決しようとする課題】
【０００７】
台車と駆動輪ユニットとの連結機構に関して解決しようとする問題点は、Ｕ字型に切り欠き部分を、台車側の連結ピンに挿入する操作によって、駆動輪ユニットと台車とを連結するという従来のような構造では、連結ピンは比較的に小さなものであるため、その連結・操作に高い注意力を必要として作業性が劣化すると共に、その連結ピンは比較的に強度や耐久性に劣るものとなっていることにある。
【０００８】
そこで本発明の目的は、台車と駆動輪ユニットとの連結を高い注意度を必要とすることなくワンタッチでより容易に且つ確実に行うことができる台車と駆動輪ユニットとの連結機構を提供することにある。
【課題を解決するための手段】
【０００９】
本発明に係る台車と駆動輪ユニットとの連結機構の一形態によれば、駆動走行用の動力を持たない運搬車である台車と、動力によって駆動走行する一つの車輪及びアシスト駆動機構を備える駆動輪ユニットとが連結されるように、該駆動輪ユニットの側で上下方向に起立した軸芯となっている取付軸を中心に回動自在に装着された連結アームと、該連結アームの側に設けられて前記台車の側へ連結される連結板部と、該連結板部が係合されて連結されるように前記台車の側に配設される連結板受部と、該連結板受部、及び前記連結板部を備える前記連結アームのいずれかの構成要素にあって前記台車の荷重を受けることで前記駆動輪ユニットの前記車輪に所要の輪圧が生じるように介在する受圧バネ部材とを備える台車と駆動輪ユニットとの連結機構において、前記連結板部が上下方向に起立した板状に設けられ、該連結板部の上縁部には、前記台車側へ対面する面の側が斜面に形成されることで上方へ向かって薄肉となるように形成されたテーパ爪部が設けられ、該テーパ爪部が嵌って受けられるように前記連結板受部の上部には下向きの溝状に形成された溝状爪受部が設けられている。
【００１０】
また、本発明に係る台車と駆動輪ユニットとの連結機構の一形態によれば、前記連結板受部が、前記台車側に固定される固定基部と、該固定基部に対して離脱しないと共に上下方向にスライド可能に装着されて前記連結板部に対面して上部に前記溝状爪受部が設けられた連結受面部を備えるスライド本体と、該スライド本体と前記固定基部との間に配された前記受圧バネ部材とを備えることを特徴とすることができる。
【００１１】
また、本発明に係る台車と駆動輪ユニットとの連結機構の一形態によれば、前記連結アームにあって前記連結板部の台車側へ対面する面とは反対側で且つ下側に、常時は下方へ突起するようにバネ部材によって付勢され、該連結板部と前記連結板受部とが連結される際には該連結板受部に設けられた係止孔に挿入されて連結状態を維持させ、連結状態を解除する際には前記バネ部材の付勢力に抗して上方へ引き上げて連結状態を解除するように引き上げ機構が連係されたストッパ部材を備えることを特徴とすることができる。
【００１２】
また、本発明に係る台車と駆動輪ユニットとの連結機構の一形態によれば、前記連結板受部の連結受面部に、前記連結板部が嵌まり込むように該連結板部の少なくとも左右に外嵌する側壁部が設けられ、該側壁部から外方へ開くように連続して形成されて前記連結板部が嵌まり込む際に案内する傾斜面部を備えていることを特徴とすることができる。
【００１３】
また、本発明に係る台車と駆動輪ユニットとの連結機構の一形態によれば、前記連結アームが、前記駆動輪ユニットの側の前記取付軸に装着されたアーム本体と、該アーム本体に四節リンク構造によって上下方向に移動可能に装着された前記連結板部とを備えることによって構成され、該連結板部と前記アーム本体との間に前記受圧バネ部材が配されていることを特徴とすることができる。
【００１４】
また、本発明に係る台車と駆動輪ユニットとの連結機構の一形態によれば、前記連結板部の下側の部位に該連結板部に回動可能に装着され、常時はバネ部材よって先端側が上方へ回動するように付勢され、該連結板部と前記連結板受部とが係合・連結される際には前記連結板受部の下縁に係止して連結状態を維持させ、連結状態を解除する際には前記バネ部材の付勢力に抗して先端側を下方へ回動できるフック部材を備えることを特徴とすることができる。
【００１５】
また、本発明に係る台車と駆動輪ユニットとの連結機構の一形態によれば、前記連結板受部における前記連結板部に対面する上部に前記溝状爪受部が設けられた連結受面部に、前記連結板部が嵌まり込むように該連結板部の少なくとも左右に外嵌する側壁部が設けられ、該側壁部から外方へ開くように連続して形成されて前記連結板部が嵌まり込む際に案内する傾斜面部を備えていることを特徴とすることができる。
【発明の効果】
【００１６】
本発明に係る台車と駆動輪ユニットとの連結機構によれば、高い注意度を必要とすることなく台車と駆動輪ユニットとの連結をワンタッチでより容易に且つ確実に行うことができるという特別有利な効果を奏する。
【図面の簡単な説明】
【００１７】
【図１】本発明に係る台車と駆動輪ユニットとの連結機構の形態例であって、その連結状態を示す側面図である。
【図２】本発明に係る駆動輪ユニットの形態例を示す側面図である。
【図３】図２の駆動輪ユニットを示す正面図である。
【図４】図２の駆動輪ユニットを示す平面図である。
【図５】本発明に係る連結板受部の形態例を示す正面図である。
【図６】図５の連結板受部を示す側面図である。
【図７】図５の連結板受部を示す平面図である。
【図８】本発明に係る台車と駆動輪ユニットとの連結機構の他の形態例を示す側面図である。
【発明を実施するための形態】
【００１８】
以下、本発明に係る台車と駆動輪ユニットとの連結機構の形態例を図１〜７に基づいて説明する。
この台車と駆動輪ユニットとの連結機構は、駆動走行用の動力を持たない運搬車である台車３０と、動力によって駆動走行する一つの車輪１１及びアシスト駆動機構を備える駆動輪ユニット１０とが連結されるように構成されており、以下の構成を備えている。
【００１９】
２０は連結アームであり、その駆動輪ユニット１０の側で上下方向に起立した軸芯となっている取付軸１４を中心に回動自在に装着されている。つまり、実質的に鉛直に起立して延びる軸芯を中心に連結アーム２０が実質的に水平面内で回動できるように、連結アーム２０が装着されて設けられている。
【００２０】
２１は連結板部であり、連結アーム２０の側に設けられて台車３０の側へ連結される部位となっている。本形態例では、全体的な形状として矩形板状に形成されており、四辺の部位がそれぞれ案内されて連結できるように設けられている。
【００２１】
３１は連結板受部であり、連結板部２１が係合されて連結されるように台車３０の側にアタッチメントとして配設・固定されている。本形態例では、矩形の連結板部２１を受けて係合されるように、矩形の浅い箱型に形成されている（図１、５〜７参照）。すなわち、この連結板受部３１は、連結板部２１の四辺の部位を案内し、その連結板部２１が適切に嵌り込むように浅い箱型に形成されている。この本形態例の浅い箱型を構成する左右の側壁部３３ｂ、３３ｂは、連結板部２１の左右の振れを防止するように受ける部位になっている。
【００２２】
また、４０は受圧バネ部材であり、連結板受部３１、及び連結板部２１を備える連結アーム２０のいずれかの構成要素にあって台車３０の荷重を受けることで駆動輪ユニット１０の車輪１１に所要の輪圧が生じるように介在する。この受圧バネ部材４０によれば、荷台に載った積載物を含む台車の重量による直接的な影響を受けないで、スプリングの弾発力で所要の荷重を車輪１１にかけることになって、常に適切な輪圧が生じ、適切に操縦することができる。なお、受圧バネ部材４０の効果は相対的なものであるから、台車３０側か駆動輪ユニット１０側のどちらかに配されていればよい。
【００２３】
そして、連結板部２１が上下方向に起立した板状に設けられ、その連結板部２１の上縁部には、台車３０側へ対面する面の側が斜面２２ａに形成されることで上方へ向かって薄肉となるように形成されたテーパ爪部２２が設けられ、そのテーパ爪部２２が嵌って受けられるように連結板受部３１の上部には下向きの溝状に形成された溝状爪受部３２が設けられている。本形態例の溝状爪受部３２は板材が下向きに折り曲げられたように形成されることで設けられている。この溝状爪受部３２は、連結板部２１が連結されていない状態では、駆動輪ユニット１０が通常に走行する起立した状態での連結板部２１の位置よりも低い位置となるように設定されている。
【００２４】
これによれば、作業者は操舵ハンドル１２を持って連結板部２１を傾けてテーパ爪部２２を溝状爪受部３２内へ挿入する。そして、その挿入された連結板部２１をこじるようにして起立させる。すなわち、駆動輪ユニット１０を前傾状態に倒した状態から元の起立した状態に戻すように回動操作する。この操作によって、連結板部２１から溝状爪受部３２を介して連結板受部３１を持ち上げる方向に力が作用する。本形態例では後述する連結受面部３３ａを備えるスライド本体３３が持ち上げられ、受圧バネ部材（後述するコイルスプリング４０）が圧縮される。これによって、車輪１１に適切な輪圧がかかる状態で、連結板部２１と連結板受部３１が係合し、台車３０と駆動輪ユニット１０とを容易且つ合理的に連結することができる。
なお、連結板部２１のテーパ爪部２２の上端縁は、線状に形成されており、溝状爪受部３２を構成する上側壁部３２ａ（図５参照）に、比較的長い範囲で当接して上方へ持ち上げる力を伝えることができる。また、溝状爪受部３２を構成する折返し部３２ｂにも、テーパ爪部２２の上端縁が比較的長い範囲で当接して外れにくくなり、係合状態を好適に維持できる。このようにテーパ爪部２２の上端縁が当接することから、損傷しにくく、耐久性に優れた構造になっている。
【００２５】
図１、５〜７に示す形態例では、この連結板受部３１が、台車３０側に固定される固定基部３５と、その固定基部３５に対して離脱しないと共に上下方向にスライド可能に装着されて連結板部２１に対面して上部に溝状爪受部３２が設けられた連結受面部３３ａを備えるスライド本体３３と、そのスライド本体３３と固定基部３５との間に配された受圧バネ部材４０とを備える。これによれば、連結板受部３１の側に、受圧バネ部材４０を適切に配することができ、車輪１１に適切な輪圧を負荷することができる。
【００２６】
さらに、図１、５〜７に示す形態例の具体的な構成を以下に説明する。
本形態例の固定基部３５は、縦断面形状としてコの字状に形成されており、上下の水平板部３５ａ、３５ｂにそれぞれに一対の挿通孔３６が設けられている。その上下の挿通孔３６にスライドシャフト３７が挿通されてスライド可能に配されていると共に、そのスライドシャフト３７が、受圧バネ部材の一例であるコイルスプリング４０に挿通されている。そのコイルスプリング４０は、上側の水平板部３５ａと、スライドシャフト３７の中途部に固定されたバネ受部３８との間で伸縮できるように、そのスライドシャフト３７に案内されて配されている。
【００２７】
また、本形態例のスライド本体３３は、台車３０の面側にスライドシャフト３７を上下方向に固定するように固定基部３５を横方向から覆う縦断面形状としてコの字状に形成されて設けられた本体部分３３ｘと、その本体部分３３ｘに一体に固定されて駆動輪ユニット１０の連結板部２１の面側に対面するように形成された連結受面部３３ａとを備えるように設けられている。以上の形態によれば、堅牢な構造で信頼性の高い連結板受部３１が合理的に構成されている。
【００２８】
また、本形態例では、連結板受部３１の連結受面部３３ａに、連結板部２１が嵌まり込むようにその連結板部２１の少なくとも左右に外嵌する側壁部３３ｂ、３３ｂが設けられ、その側壁部３３ｂから外方へ開くように連続して形成されて連結板部２１が嵌まり込む際に案内する斜面案内部３３ｃを備えている。
より注意力や熟練度を要することなく、容易に連結作業を行うことができ、作業性を向上させて生産効率を向上させることができる。
【００２９】
さらに、本形態例では、連結受面部３３ａの表面に一対の突起案内部３３ｆが設けられている。この突起案内部３３ｆは、例えば連結受面部３３ａに螺合したボルトの頭で形成することができる。また、本形態例では、連結板部２１の上縁側にＵ字状の切欠き部２１ａが一対設けられている。この切欠き部２１ａは、連結板部２１が連結板受部３１に係合する際に、突起案内部３３ｆに嵌るように構成されている。これによれば、連結板部２１が所定の位置で横振れしないように連結板受部３１へ好適に係合でき、駆動輪ユニット１０と台車３０とを好適且つ確実に連結できる。
【００３０】
次に、連結板部２１が記連結板受部３１に連結される連結状態を維持させるストッパ機構５０の形態例について以下に説明する。
図１及び２に示す形態例のストッパ機構５０では、連結アーム２０にあって連結板部２１の台車３０側へ対面する面とは反対側で且つ下側に、常時は下方へ突起するようにバネ部材５５によって付勢され、その連結板部２１と連結板受部３１とが連結される際にはその連結板受部３１に設けられた係止孔３４に挿入されて連結状態を維持させ、連結状態を解除する際にはバネ部材５５の付勢力に抗して上方へ引き上げて連結状態を解除するように引き上げ機構が連係されたストッパ部材５１を備える。
【００３１】
さらに、本形態例のストッパ機構５０では、ワイヤレバー５２が操舵ハンドル１２の支柱フレーム１３の上方部に装着されており、そのワイヤレバー５２にワイヤ５３が接続され、そのワイヤ５３の下端にチェーン５４が接続され、さらにそのチェーン５４の下端に棒状のストッパ部材が連結されている。そして、バネ部材５５が、ストッパ部材５１が下方へ突起するように付勢する下側のバネ部材５５ａとチェーン５４を下側へ付勢する上側のバネ部材５５ｂとから構成されている。
【００３２】
また、係止孔３４は、連結板受部３１の正面中央下部で、駆動輪ユニット１０の側へ延設されて前述の浅い箱型の一部を構成する下側壁部３３ｄに設けられている。なお、本形態例では、その下側壁部３３ｄに連続して外側へ広がるように斜面を形成する下側斜面案内部３３ｅが設けられている（図５〜７参照）。
【００３３】
このストッパ機構５０によれば、ワイヤレバー５２を把持してストッパ部材５１の上方へ移動させた状態で連結板部２１を連結板受部３１に係合させ、その後にワイヤレバー５２の把持を解除すると、バネ部材５５の作用によってストッパ部材５１が下方へ突起して容易且つ合理的に係止される。バネ部材５５の作用によってストッパ部材５１が下方へ突起して容易且つ合理的に係止される。また、ストッパ部材５１の係止を解除するには、ワイヤレバー５２を把持してストッパ部材５１を引き上げることによって
行うことができる。
【００３４】
次に、図８に基づいて、連結アーム２０の側に受圧バネ部材４０（図８では図示せず）が組み込まれた形態について説明する。
連結アーム２０が、駆動輪ユニット１０の側の取付軸１４に装着されたアーム本体２５と、そのアーム本体２５に四節リンク構造２６によって上下方向に移動可能に装着された連結板部２１とを備えることによって構成され、その連結板部２１とアーム本体２５との間に受圧バネ部材４０が配されている。これによれば、連結アーム２０の側に、受圧バネ部材４０を適切に配することができ、車輪１１に適切な輪圧を負荷することができる。先に説明した形態例と同様に、車輪１１に適切な輪圧がかかる状態で、連結板部２１と連結板受部３１が係合し、台車３０と駆動輪ユニット１０とを容易且つ合理的に連結することができる。
【００３５】
本形態例では、四節リンク構造２６の一対の回動リンク２６ａ、２６ａが左右にそれぞれ配されて構成されており、その左右の一対の回動リンク２６ａ、２６ａの間に受圧バネ部材４０であるコイルスプリング４０が一つ配された構造になっている。これによれば、安定的に作動する合理的な構成となっており、連結作業の作業性を向上できる。
【００３６】
また、この図８の形態例では、連結板部２１の下側の部位にその連結板部２１に回動可能に装着され、常時はバネ部材６１よって先端側が上方へ回動するように付勢され、その連結板部２１と連結板受部３１とが係合・連結される際には連結板受部の下縁３９に係止して連結状態を維持させ、連結状態を解除する際にはバネ部材６１の付勢力に抗して先端側を下方へ回動できるフック部材６０を備えている。
【００３７】
また、図１〜４、８に示すように、駆動輪ユニット１０において、１５はアシスト駆動機構を制御する制御ボックスであり、操舵ハンドル１２を人が押したり、引いたりする時の人力に比例した駆動力で人力をアシストするようにコントロールように設けられている。１６は蓄電池であり、例えばリチウムイオン二次電池が用いられ、操舵ハンドル１２の支柱フレーム１３に設けられた電池ボックスに着脱できるように装着されている。１７は電動モータであり、ユニットボディ１８内に内蔵されている。
また、図１及び８に示すように、台車３０において、３０ａは台部、３０ｂは台車の車輪、３０ｃは台車の引手になっている。
【００３８】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００３９】
１０  駆動輪ユニット
１１  車輪
１２  操舵ハンドル
１３  支柱フレーム
１４  取付軸
１５  制御ボックス
１６  蓄電池
１７  電動モータ
１８  ユニットボディ
２０  連結アーム
２１  連結板部
２１ａ  切欠き部
２２  テーパ爪部
２２ａ  斜面
２５  アーム本体
２６  四節リンク構造
２６ａ  回動リンク
３０  台車
３１  連結板受部
３２  溝状爪受部
３３  スライド本体
３３ａ  連結受面部
３３ｂ  側壁部
３３ｃ  斜面案内部
３３ｄ  下側壁部
３３ｅ  下側斜面案内部
３３ｆ  突起案内部
３３ｘ  本体部分
３４  係止孔
３５  固定基部
３５ａ  水平板部
３５ｂ  水平板部
３６  挿通孔
３７  スライドシャフト
３８  バネ受部
３９  連結板受部の下縁
４０  受圧バネ部材（コイルスプリング）
５０  ストッパ機構
５１  ストッパ部材
５２  ワイヤレバー
５３  ワイヤ
５４  チェーン
５５  バネ部材
５５ａ  下側のバネ部材
５５ｂ  上側のバネ部材
６０  フック部材
６１  バネ部材
【図１】
2014213720.tif 000003
【図２】
2014213720.tif 000004
【図３】
2014213720.tif 000005
【図４】
2014213720.tif 000006
【図５】
2014213720.tif 000007
【図６】
2014213720.tif 000008
【図７】
2014213720.tif 000009
【図８】
2014213720.tif 000010